(57)【要約】【課題】蚊駆除剤の無駄な消耗を抑制しながら、人体などに刺されないように、蚊を有効に駆除することができる蚊駆除器を提供する。【解決手段】蚊駆除剤の揮散装置Ａと、雰囲気温度を検出可能な温度センサ１３と、設定温度以上の雰囲気温度が検出されると揮散装置を作動させる制御装置Ｂとを有する。【選択図】図３
2013094111.tif 000002
【特許請求の範囲】
【請求項１】
蚊駆除剤の揮散装置と、
雰囲気温度を検出可能な温度センサと、
設定温度以上の雰囲気温度が検出されると前記揮散装置を作動させる制御装置とを有する蚊駆除器。
【請求項２】
蚊駆除剤の揮散装置と、
二酸化炭素濃度を検出可能な二酸化炭素センサと、
設定濃度以上の二酸化炭素濃度が検出されると前記揮散装置を作動させる制御装置とを有する蚊駆除器。
【請求項３】
前記揮散装置は、蚊駆除剤の揮散を促進させる送風ファンを有し、
前記制御装置は、前記温度センサ或いは前記二酸化炭素センサの検出値に応じて風量が変化するように前記送風ファンの作動を制御可能に設けられている請求項１又は２記載の蚊駆除器。
【請求項４】
前記温度センサ或いは前記二酸化炭素センサの検出状態を示す表示部を有し、
前記制御装置は、前記温度センサ或いは前記二酸化炭素センサの検出値に応じて前記表示部の点灯状態を変化させるように構成してある請求項１又は２記載の蚊駆除器。
【発明の詳細な説明】
【技術分野】
【０００１】
本発明は、蚊駆除剤の揮散装置を有する蚊駆除器に関する。
【背景技術】
【０００２】
従来の蚊駆除器では、蚊駆除剤の無駄な消耗を抑制するために、蚊の羽音を検出可能なセンサを有し、蚊が出現してその羽音を検出すると揮散装置を作動させるように構成してある。（例えば、特許文献１，２参照）。
【先行技術文献】
【特許文献】
【０００３】
【特許文献１】特開２００４−８１１１７号公報
【特許文献２】特開２００３−３３９２９２号公報
【発明の概要】
【発明が解決しようとする課題】
【０００４】
従来の蚊駆除器は、蚊が実際に出現していることをその羽音で検出すると揮散装置を作動させるものである。
したがって、蚊の羽音を検出する前や、羽音を検出してから揮散装置を作動させるまでの間に人体が蚊に刺されることがあり、蚊を有効に駆除できないおそれがある。
本発明は上記実情に鑑みてなされたものであって、蚊駆除剤の無駄な消耗を抑制しながら、人体が刺されないように、蚊を有効に駆除することができる蚊駆除器を提供することを目的とする。
【課題を解決するための手段】
【０００５】
本発明による蚊駆除器の第１特徴構成は、蚊駆除剤の揮散装置と、雰囲気温度を検出可能な温度センサと、設定温度以上の雰囲気温度が検出されると前記揮散装置を作動させる制御装置とを有する点にある。
【０００６】
このため、蚊が実際に出現しているか否かにかかわらず、蚊が出現する可能性が高い設定温度以上の雰囲気温度が検出されると揮散装置を作動させることができ、人体が蚊に刺されるおそれが少なくなる。
したがって、本構成の蚊駆除器であれば、蚊駆除剤の無駄な消耗を抑制しながら、人体が刺されないように、蚊を有効に駆除することができる。
【０００７】
本発明による蚊駆除器の第２特徴構成は、蚊駆除剤の揮散装置と、二酸化炭素濃度を検出可能な二酸化炭素センサと、設定濃度以上の二酸化炭素濃度が検出されると前記揮散装置を作動させる制御装置とを有する点にある。
【０００８】
本構成の蚊駆除器は、二酸化炭素濃度を検出可能な二酸化炭素センサと、設定濃度以上の二酸化炭素濃度が検出されると揮散装置を作動させる制御装置とを有する。
【０００９】
すなわち、周囲よりも二酸化炭素の濃度が高い場所を好む蚊の習性を利用して、蚊が実際に出現しているか否かにかかわらず、蚊が出現する可能性が高い設定濃度以上の二酸化炭素濃度が検出されると揮散装置を作動させることができる。
このため、人体が蚊に刺されるおそれが少なくなる。
したがって、本構成の蚊駆除器であれば、蚊駆除剤の無駄な消耗を抑制しながら、人体が刺されないように、蚊を有効に駆除することができる。
【００１０】
本発明の第３特徴構成は、前記揮散装置は、蚊駆除剤の揮散を促進させる送風ファンを有し、前記制御装置は、前記温度センサ或いは前記二酸化炭素センサの検出値に応じて風量が変化するように前記送風ファンの作動を制御可能に設けられている点にある。
【００１１】
本構成であれば、雰囲気温度或いは二酸化炭素濃度の検出値に応じて送風ファンの風量を変化させて、蚊の出現し易さに応じて蚊駆除剤の揮散量と拡散範囲を調節することができると共に、送風ファンの駆動エネルギーの消費を抑制することができる。
【００１２】
本発明の第４特徴構成は、前記温度センサ或いは前記二酸化炭素センサの検出状態を示す表示部を有し、前記制御装置は、前記温度センサ或いは前記二酸化炭素センサの検出値に応じて前記表示部の点灯状態を変化させるように構成してある点にある。
【００１３】
本構成であれば、雰囲気温度或いは二酸化炭素濃度の検出値に応じて表示部の点灯状態を変化させて、雰囲気温度或いは二酸化炭素濃度の検出状態や蚊の出現し易さなどを使用者に知らせることができる。
【図面の簡単な説明】
【００１４】
【図１】蚊駆除器の斜視図である。
【図２】蚊駆除器の縦断面図である。
【図３】制御装置のブロック図である。
【図４】二酸化炭素濃度とファン回転数との相関関係を示すグラフである。
【図５】制御装置による制御動作を示すフローチャートである。
【発明を実施するための形態】
【００１５】
以下に本発明の実施の形態を図面に基づいて説明する。
図１，図２は、本発明による蚊駆除器を示す。
蚊駆除器は、蚊駆除剤の揮散装置Ａが内装された正面視で略円形の上部ケース１と、揮散装置Ａの作動を制御する制御装置Ｂが内装された平面視で略円形の下部ケース２とを備えている。
【００１６】
上部ケース１は、下部ケース２の中央部から上方に向けて延設した略円形の中ケース３の前後に前ガード４と後ガード５とを着脱自在に設けて、下部ケース２の上部に接続してある。
【００１７】
揮散装置Ａは、環状に形成した薬剤カートリッジ６と、蚊駆除剤の揮散を促進させる送風ファン８と、送風ファン８を駆動回転させる電動モータ７とを有している。
電動モータ７を中ケース３に支持し、薬剤カートリッジ６を電動モータ７の外周側にモータ回転軸芯と同芯状に配設してある。
【００１８】
薬剤カートリッジ６には、蚊駆除剤を担持させた樹脂製担体９を表面が外部に露出する状態で装填してあり、蚊駆除剤は、送風ファン８の駆動を停止している状態においても揮散するが、送風ファン８の駆動によりその揮散が促進される。
【００１９】
すなわち、揮散装置Ａは、送風ファン８の駆動回転により、後ガード５の開口部５ａから吸入した空気を薬剤カートリッジ６に装填してある担体９に吹き付けて蚊駆除剤の揮散（昇華）を促進させ、揮散させた蚊駆除剤を前ガード４の開口部４ａを通して室内などの駆除空間に拡散させる。
【００２０】
下部ケース２には、電力供給用のＵＳＢケーブル１０が接続されるＵＳＢコネクタ１１と、蚊駆除器の設置場所における二酸化炭素濃度を検出可能な二酸化炭素センサ１２と、蚊駆除器の設置場所における雰囲気温度を検出可能な温度センサ１３と、二酸化炭素センサ１２及び温度センサ１３の検出状態を示す表示部２２と、蚊駆除器の電源スイッチ１６と、電源スイッチ１６のＯＮ／ＯＦＦ状態を表示する電源表示用ＬＥＤランプ１６ａと、制御基板１７とを設けてある。
【００２１】
二酸化炭素センサ１２及び温度センサ１３の夫々は、感知部をケース外方に臨ませて設けてある。
表示部２２は、二酸化炭素センサ１２の検出状態を点灯表示するＬＥＤランプ（図示せず）を備えた二酸化炭素表示部１４と、温度センサ１３の検出状態を点灯表示するＬＥＤランプ（図示せず）を備えた温度表示部１５とを備えている。
電源スイッチ１６は下部ケース２の底面側に設けてある。
【００２２】
制御装置Ｂは、図３に示すように、マイクロコンピュータ１８ａを備えた制御部１８と、マイクロコンピュータ１８ａの動作用電力を供給する電源部１９とを有し、制御部１８は、センサ部２０からの入力情報に基づいてモータ動作部２１と表示部２２の作動を制御する。
【００２３】
電源部１９は、ＵＳＢコネクタ１１、充電ＩＣ１９ａ、リチウムイオン充電池１９ｂ、レギュレータ１９ｃ、低電圧検出回路１９ｄなどを備え、電源スイッチ１６がＯＮの状態で、ＵＳＢコネクタ１１からの電力をレギュレータ１９ｃで調整してマイクロコンピュータ１８ａに供給する。
【００２４】
センサ部２０は、二酸化炭素センサ１２の検出出力を増幅する増幅回路１２ａと、温度センサ１３の検出出力を増幅する増幅回路１３ａとを備え、各センサ１２，１３の増幅された検出出力をマイクロコンピュータ１８ａに入力する。
【００２５】
モータ動作部２１は、マイクロコンピュータ１８ａから出力される回転数信号に応じた回転数で送風ファン８が駆動されるように、モータ駆動回路２１ａから電動モータ７に駆動電力を供給する。
【００２６】
表示部２２は、二酸化炭素表示部１４のＬＥＤランプ１４ａと温度表示部１５のＬＥＤランプ１５ａと電源表示用ＬＥＤランプ１６ａの夫々を、マイクロコンピュータ１８ａから各別に出力される輝度信号に応じた明るさで点灯する。
【００２７】
マイクロコンピュータ１８ａは、温度センサ１３が設定温度以上の雰囲気温度を検出すると、蚊駆除剤の揮散が促進されるように揮散装置Ａを作動させる。
また、マイクロコンピュータ１８ａは、温度センサ１３が設定温度以上の雰囲気温度を検出している状態で、二酸化炭素センサ１２が設定濃度以上の二酸化炭素濃度を検出すると、その検出値に応じて蚊駆除剤の揮散が促進されるように揮散装置Ａを作動させる。
【００２８】
雰囲気温度の設定温度は、本実施形態では吸血行動が活発化する温度として例えば２６℃に設定されている。
【００２９】
図４は、二酸化炭素濃度と送風ファン８の回転数との相関関係を示し、二酸化炭素濃度が３５０ｐｐｍ〜７００ｐｐｍの範囲内では、ファン回転数が二酸化炭素濃度に比例して最低回転数４００ｒｐｍ〜最高回転数１４００ｒｐｍの範囲で変化し、二酸化炭素濃度が７００ｐｐｍを越えると送風ファン８は１４００ｒｐｍの一定回転数で駆動される。
【００３０】
二酸化炭素濃度とファン回転数との相関関係は、マイクロコンピュータ１８ａが備えるメモリに記憶されており、二酸化炭素センサ１２による二酸化炭素濃度の検出値に応じたファン回転数が必要に応じて読み出される。
【００３１】
また、マイクロコンピュータ１８ａは、二酸化炭素センサ１２による二酸化炭素濃度の検出値に応じて、検出値（二酸化炭素濃度）が高くなるほどＬＥＤランプ１４ａの点灯状態が明るくなるように変化させる輝度信号を二酸化炭素表示部１４に入力し、かつ、温度センサ１３による雰囲気温度の検出値に応じて、検出値（雰囲気温度）が高くなるほどＬＥＤランプ１５ａの点灯状態が明るくなるように変化させる輝度信号を温度表示部１５に入力する。
【００３２】
マイクロコンピュータ（制御装置Ｂ）１８ａによる制御動作を、図５に示すフローチャートを参照しながら説明する。
マイクロコンピュータ１８ａは、電源スイッチ１６がＯＮの状態で、二酸化炭素濃度が高いほどＬＥＤランプ１４ａを明るく点灯させる輝度信号を二酸化炭素表示部１４に出力し、かつ、雰囲気温度が高いほどＬＥＤランプ１５ａを明るく点灯させる輝度信号を温度表示部１５に出力する（ステップ＃１，２）。
【００３３】
次に、温度センサ１３が設定温度（２６℃）以上の雰囲気温度を検出しているか否かを判定し（ステップ＃３）、設定温度以上の雰囲気温度を検出していると、二酸化炭素センサ１２が設定濃度（３５０ｐｐｍ）以上の二酸化炭素濃度を検出しているか否かを判定し、検出濃度が３５０ｐｐｍ以下のときは、ファン回転数を最低回転数４００ｒｐｍとする回転数信号をモータ駆動回路２１ａに入力し（ステップ＃４，６）、モータ駆動回路２１ａはファン回転数が４００ｒｐｍとなるように電動モータ７を駆動する。
【００３４】
検出濃度が３５０ｐｐｍを越えているときは、その検出濃度に応じたファン回転数を目標回転数としてメモリから読み出して、ファン回転数をその目標回転数とする回転数信号をモータ駆動回路２１ａに出力し（ステップ＃４，５）、モータ駆動回路２１ａはファン回転数が目標回転数となるように電動モータ７を駆動する。
【００３５】
ステップ＃３において温度センサ１３が設定温度未満の雰囲気温度を検出している状態では、二酸化炭素センサ１２が３５０ｐｐｍ以上の二酸化炭素濃度を検出していても、送風ファン８が駆動されない。
また、温度センサ１３が設定温度以上の雰囲気温度を検出している状態では、二酸化炭素センサ１２が３５０ｐｐｍ未満の二酸化炭素濃度を検出していても、送風ファン８が駆動される。
【００３６】
したがって、制御装置Ｂは、温度センサ１３の検出値に応じて、雰囲気温度が設定温度以上になると送風ファン８による送風を開始するとともに、雰囲気温度が設定温度未満になると送風ファン８による送風を停止し、二酸化炭素センサ１２の検出値に応じて、二酸化炭素濃度が高くなるほど風量が増大する側に変化するように送風ファン８の作動を制御可能に設けられている。
【００３７】
〔その他の実施形態〕
１．本発明による蚊駆除器は、温度センサ１３を有しておらず、二酸化炭素センサ１２が設定濃度以上の二酸化炭素濃度を検出すると揮散装置Ａを作動させる制御装置Ｂを有していてもよい。
２．本発明による蚊駆除器は、二酸化炭素センサ１２を有しておらず、温度センサ１３が設定温度以上の雰囲気温度を検出すると揮散装置Ａを作動させる制御装置Ｂを有していてもよい。
この場合、雰囲気温度が高いほど風量が増大する側に連続的に又は段階的に変化するように送風ファン８の作動を制御可能な制御装置Ｂが設けられていてもよい。
３．本発明による蚊駆除器は、二酸化炭素センサ１２と温度センサ１３との両方を有し、二酸化炭素センサ１２が設定濃度以上の二酸化炭素濃度を検出すると、又は、温度センサ１３が設定温度以上の雰囲気温度を検出すると揮散装置Ａを作動させる制御装置Ｂを有していてもよい。
４．本発明による蚊駆除器は、二酸化炭素センサ１２や温度センサ１３の検出値に応じて、検出値が高いほど風量が連続的に又は段階的に増大するように送風ファン８の作動を制御可能な制御装置Ｂが設けられていてもよい。
５．本発明による蚊駆除器は、二酸化炭素センサ１２や温度センサ１３の検出値に応じて、検出値高いほど輝度が連続的又は段階的に変化するように表示部２２の点灯状態を変化させる制御装置Ｂが設けられていてもよい。
６．本発明による蚊駆除器は、液体或いは固体の蚊駆除剤を加熱して揮散させる揮散装置Ａを有していてもよい。
【符号の説明】
【００３８】
８  送風ファン
１２  二酸化炭素センサ
１３  温度センサ
２２  表示部
Ａ  揮散装置
Ｂ  制御装置
【図１】
2013094111.tif 000003
【図２】
2013094111.tif 000004
【図３】
2013094111.tif 000005
【図４】
2013094111.tif 000006
【図５】
2013094111.tif 000007